(57)【要約】【課題】  スイッチベースにケースを取付けるときに「がた」が発生する点を解決することで、回転ノブに振れ若しくは「がた」を低減することを可能にする。【解決手段】  ケース２４に、回転ノブ２２を回転自在に支持する本体部５７と、この本体部５７から折曲げ形成する折曲げ部６２と、この折曲げ部６２の両端に形成することでスイッチベース１１に係止する図１５に示す爪６３，６３と、を備えるとともに、スイッチベース１１に、爪６３，６３を係止するために両側面に形成した係止部８３，８３と、本体部５７の四隅内方を受けることでケース２４の「がた」を吸収させる凸面部８６・・・と、を備えた。【選択図】      図１４
2005100719.tif 000002
【特許請求の範囲】
【請求項１】
絶縁体で形成した略矩形のスイッチベースと、このスイッチベースに配置した接点端子と、この接点端子に選択的に接触させる接触子と、この接触子を保持するとともに前記スイッチベースに回転自在に取付けた回転ノブと、この回転ノブを前記スイッチベースに回転自在に取付けるケースと、を備えたロータリスイッチにおいて、
前記ケースは、前記回転ノブを回転自在に支持する本体部と、この本体部から折曲げ形成する折曲げ部と、この折曲げ部の両端に形成することで前記スイッチベースに係止する爪と、を備えるとともに、
前記スイッチベースは、前記爪を係止するために両側面に形成した係止部と、前記本体部の四隅内方を受けることで前記ケースのがたを吸収させる凸面部と、を備えたこと特徴とするロータリスイッチ。
【発明の詳細な説明】
【技術分野】
【０００１】
本発明は、複数の固定接点に回転子を回転させることで接点切換えができるロータリスイッチに関するものである。
【背景技術】
【０００２】
ロータリスイッチとして、スイッチベースに複数の固定接点を設け、これらの固定接点に回転子を接触させ、この回転子に回転板を取付けたものが実用に供されている。
実用のロータリスイッチは、スイッチベースに回転板を回転自在に取付けるために、ケースを回転板を介してスイッチベースに取付けすれば実用上十分であった。
【０００３】
このようなロータリスイッチとして、スイッチベースに設けた係止部にケースの孔を嵌合させるものが知られている（例えば、特許文献１参照。）。
【特許文献１】特開２００１−１６０３３５公報
【０００４】
図１９は特許文献１の図１の再掲図である。ただし、符合は同特許文献１の符号を流用した。
特許文献１のロータリスイッチは、インシュレータ（スイッチベース）１０に固定接点２０を一体的に形成し、インシュレータ１０に可動接点部３０を収納し、この可動接点部３０の上に金属板６０を載せ、この金属板６０にロータ４０を載せ、これらの可動接点部３０、金属板６０及びロータ４０をＯリング５を介して一括してカバー５０で覆ったものであって、カバー５０の正面板部５１をインシュレータ１０の４つの角部１３・・・（・・・は複数個を示す。以下同じ）に当て、カバー５０の開口５４をインシュレータ１０の係合突起１８に係合させたものである。
【０００５】
ここで、インシュレータ１０において角部１３の上面から係合突起１８の下面までの寸法をインシュレータ嵌合寸法とし、カバー５０において角部１３の当接面から開口５４の下辺までの寸法をカバー嵌合寸法とするときに、インシュレータ嵌合寸法に対してカバー嵌合寸法が小さいときは、インシュレータ１０にカバー５０を係止することはできないので、一般的に、インシュレータ嵌合寸法に対してカバー嵌合寸法を大きく設定する。しかし、インシュレータ嵌合寸法に対してカバー嵌合寸法を大きく設定する場合には、インシュレータ１０にカバー５０を係止したときに、カバー５０に「がた」が発生する虞がある。
すなわち、特許文献１のロータリスイッチでは、インシュレータ（スイッチベース）１０に対するカバー５０の「がた」で、ロータ４０（回転ノブ）が振れる若しくは「がた」つくという問題があった。
【０００６】
すなわち、回転ノブが振れる若しくは「がた」を防止することができるロータリスイッチが望まれる。
【発明の開示】
【発明が解決しようとする課題】
【０００７】
本発明は、スイッチベースにケースを取付けるときに「がた」が発生する点を解決し、回転ノブに振れ若しくは「がた」を低減することのできるロータリスイッチを提供することを課題とする。
【課題を解決するための手段】
【０００８】
請求項１に係る発明は、絶縁体で形成した略矩形のスイッチベースと、このスイッチベースに配置した接点端子と、この接点端子に選択的に接触させる接触子と、この接触子を保持するとともにスイッチベースに回転自在に取付けた回転ノブと、この回転ノブをスイッチベースに回転自在に取付けるケースと、を備えたロータリスイッチにおいて、ケースに、回転ノブを回転自在に支持する本体部と、この本体部から折曲げ形成する折曲げ部と、この折曲げ部の両端に形成することでスイッチベースに係止する爪と、を備えるとともに、スイッチベースに、爪を係止するために両側面に形成した係止部と、本体部の四隅内方を受けることでケースの「がた」を吸収させる凸面部と、を備えたを特徴とする。
【０００９】
例えば、スイッチベースにケースを取付けるときにスイッチベースに対するケースの「がた」を少なくすることは、スイッチベースに回転ノブを回転自在に取付けるときに、回転ノブが振れる若しくは「がた」を小さくすることができるので好ましいことである。
【００１０】
そこで、ケースに、回転ノブを回転自在に支持する本体部と、この本体部から折曲げ形成する折曲げ部と、この折曲げ部の両端に形成することでスイッチベースに係止する爪と、を備えるとともに、スイッチベースに、爪を係止するために両側面に形成した係止部と、本体部の四隅内方を受けることでケースの「がた」を吸収させる凸面部と、を備えた。
【００１１】
すなわち、スイッチベースの係止部にケースの爪を係止するときに、スイッチベースの四隅内方の凸面部から係止部に当たるケースの部位にわずかな撓みを許容することで、スイッチベースに対するケースの「がた」を吸収させ、スイッチベースに対する回転ノブの振れ若しくは「がた」を最小にする。
【発明の効果】
【００１２】
請求項１に係る発明では、ケースに、回転ノブを回転自在に支持する本体部と、この本体部から折曲げ形成する折曲げ部と、この折曲げ部の両端に形成することでスイッチベースに係止する爪と、を備えるとともに、スイッチベースに、爪を係止するために両側面に形成した係止部と、本体部の四隅内方を受けることでケースの「がた」を吸収させる凸面部と、を備えたので、スイッチベースの係止部にケースの爪を係止するときに、スイッチベースの四隅内方の凸面部から係止部に当たるケースの本体部にわずかな撓みを許容させ、スイッチベースに対するケースの「がた」を吸収し、スイッチベースに対する回転ノブの振れ若しくは「がた」を最小にすることができる。この結果、操作感のよいロータリスイッチを実現できるという利点がある。
【発明を実施するための最良の形態】
【００１３】
本発明を実施するための最良の形態を添付図に基づいて以下に説明する。なお、図面は符号の向きに見るものとする。
図１は本発明に係るロータリスイッチを一体化したタクト・ロータリ複合スイッチの斜視図であり、ロータリスイッチとしてのタクト・ロータリ複合スイッチ１０は、スイッチベース１１の中央に二段動作をする二段タクトスイッチ部１２を構成し、この二段タクトスイッチ部１２の外周に複数の接点切換えをするロータリスイッチ部１３を構成した複合スイッチである。図中、１８はタクトボタンガイド、２２は回転ノブ、７９は接点端子群を示す。
【００１４】
図２は本発明に係るロータリスイッチを一体化したタクト・ロータリ複合スイッチの分解斜視図である。
タクト・ロータリ複合スイッチ１０は、絶縁体で形成した略矩形のスイッチベース１１と、このスイッチベース１１の中央に収納するドーム状のコンタクト１５と、このコンタクト１５の上に載せることでクリック音若しくはクリック感を発生させるクリック板１６と、このクリック板１６の上に載せることで外部から埃等の侵入を防ぐダストカバー１７と、これらのダストカバー１７、クリック板１６及びコンタクト１５を一括して覆うタクトボタンガイド１８と、このタクトボタンガイド１８及びコンタクト１５の外周に配置するとともにスイッチベース１１に収納する接触子２１と、この接触子２１に嵌合させるとともにスイッチベース１１に回転自在に取付ける回転ノブ２２と、この回転ノブ２２の側面を押圧するためにスイッチベースに挿入する板ばね２３，２３と、これらの板ばね２３，２３、回転ノブ２２及び接触子２１をスイッチベース１１側に保持するケース２４とからなる。
【００１５】
また、タクト・ロータリ複合スイッチ１０は、タクトボタンガイド１８のコンタクト押圧孔２６に挿入することでコンタクト１５を押すタクトボタン２７と、このタクトボタン２７を復帰させる圧縮ばね２８と、これらの圧縮ばね２８及びタクトボタン２７を保持するとともに回転ノブ２２に嵌合させることで回転ノブ２２を回転させる操作ダイヤル２９と、を備える。
【００１６】
なお、二段タクトスイッチ部１２は、スイッチベース１１、コンタクト１５、クリック板１６、ダストカバー１７及びタクトボタンガイド１８を主要構成とする部分であり、ロータリスイッチ部１３は、スイッチベース１１、接触子２１、回転ノブ２２、板ばね２３，２３及びケース２４を主要構成とする部分である。
【００１７】
クリック板１６は、ばね用りん青銅若しくはばね用ベリリウム銅などで形成した部材であり、リング状の本体リング部３１と、この本体リング部３１にから延出したクリック板側突起３２，３２と、本体リング部３１の内部に形成した反転部３３と、から構成したものであり、反転部３３は、後述するように、コンタクト１５を接点端子群７９に１回目に接触させるときにクリック音若しくはクリック感を発生させる部材である。
ダストカバー１７は、ポリエステルフィルム等をコンタクト１５の外形に略同形にプレス成形した部材である。
【００１８】
タクトボタンガイド１８は、ガイド本体３５の中央に形成することでコンタクト１５を外部から押すことのできるコンタクト押圧孔２６と、ガイド本体３５に形成することでコンタクト１５を押えるとともにスイッチベース１１に嵌合させる凸部３６，３６（一方の３６は不図示）と、からなる。なお、コンタクト押圧孔２６はタクトボタン２７の回り止め部２６ａ，２６ａを備える。
【００１９】
接触子２１は、一方を開口させた略リング状の接触子本体３７と、この接触子本体３７の両端に形成した複数の摺動接点３８・・・（・・・は複数個を示す。以下同じ）と、接触子本体３７に形成することで回転ノブ２２に係止する孔３９ａ，３９ａ及び長孔３９ｂ，３９ｂと、からなる。
【００２０】
回転ノブ２２は、ノブ本体４１と、ノブ本体４１に形成することでタクトボタンガイド１８を突出させる開口部４２と、ノブ本体４１に形成することで接触子２１を係止する４つのボス４９・・・（２つのみ示す）と、ノブ本体４１に形成することでケース２４から突出させる筒部４３と、この筒部４３に形成することでタクトボタン２７との干渉を回避する逃げ部４４，４５・・・と、筒部４３に形成することで操作ダイヤル２９を嵌合させるダイヤル嵌合部４６（一方の４６は不図示）と、ノブ本体４１に形成することでケース２４に当てる外周としての鍔部４７と、この鍔部４７に形成することで板ばね２３，２３に嵌合させる凹部４８・・・と、からなる。
【００２１】
板ばね２３は、断面視略への字状部材であり、回転ノブ２２の凹部４８・・・を係止する凸状部５１と、この凸状部５１から延ばしたばね部５２，５３と、これらのばね部５２，５３の両端にそれぞれ形成した左・右脚部５４，５５とからなる。
【００２２】
ケース２４は、板材をプレス成形した部材であり、本体部５７と、本体部５７に開けたノブ開口５８と、本体部５７の四隅に形成したすることでスイッチベース１１にケース２４を係止するときに寸法のばらつきを吸収する当て部５９・・・と、本体部５７の２片を曲げた横曲げ部６１，６１と、本体部５７の残りの２片を折曲げ形成した折曲げ部６２，６２と、からなる。
折曲げ部６２は、両端に形成することでスイッチベース１１に係止するＬ字状の爪６３，６３を備える。
【００２３】
タクトボタン２７は、ボタン本体６４と、このボタン本体６４の下部から延ばすことでコンタクト１５を押すロッド６５と、ボタン本体６４の外周に設けることで操作ダイヤル２９に係止する外周突起６６と、からなる。
【００２４】
操作ダイヤル２９は、ダイヤル本体６７と、このダイヤル本体６７の中心に開けることでタクトボタン２７を突出させるタクトボタン開口６８と、ダイヤル本体６７の下部に設けることで回転ノブ２２のダイヤル嵌合部４６，４６に嵌合させる爪部６９，６９（一方のみ示す）と、を備える。
【００２５】
図３は本発明に係るロータリスイッチを一体化したタクト・ロータリ複合スイッチのコンタクトの平面図であり、図４は図３の４−４線断面図である。
コンタクト１５は、リング状の外周部７２と、この外周部７２に２点支持したドーム状コンタクト本体７３とからなり、外周部７２はスイッチベース１１に支持させる突起部７４，７４を備え、ドーム状コンタクト本体７３は接点端子群７９に接触させる絞り部（凸部）７５，７５を備える。
【００２６】
図５は本発明に係るロータリスイッチを一体化したタクト・ロータリ複合スイッチのスイッチベースの平面図である。
スイッチベース１１は、絶縁材で形成した略矩形のベース本体７８と、このベース本体７８に一体的に形成した接点端子群７９と、からなる。
ベース本体７８は、コンタクト１５（図２参照）、クリック板１６、ダストカバー１７及びタクトボタンガイド１８を収納するタクト収納部８１と、接触子２１、回転ノブ２２及び板ばね２３，２３を収納するロータリ収納部８２と、ケース２４を係止する係止部８３・・・と、を備える。
【００２７】
タクト収納部８１は、コンタクト１５（図３参照）の突起部７４，７４を支持するとともにタクトボタンガイド１８を位置決めする支持部８４，８４と、クリック板１６のクリック板側突起３２，３２（図２参照）を支持するクリック板支持部８５，８５と、を備える。なお、支持部８４，８４は初期状態で接点端子群７９からコンタクト１５を浮かす役目も兼ねた部分である。
【００２８】
ロータリ支持部８２は、ケース２４（図２参照）の当て部５９・・・をそれぞれ支持するために四隅近傍に形成した凸面部８６・・・と、板ばね２３，２３を嵌合させる左・右嵌合部８８，８８，８９，８９と、を備える。
【００２９】
図６は本発明に係るロータリスイッチを一体化したタクト・ロータリ複合スイッチの接点端子群の平面図である。
接点端子群７９は、コンタクト１５で接触させる接点端子としてのタクトスイッチ用接点端子９１，９２と、コンタクト１５及び接触子２１で接触させる接点端子としてのタクト・ロータリ共通接点端子９３と、接触子２１で接触させる接点端子としてのロータリスイッチ用接続端子９４〜９９と、からなる。
【００３０】
タクトスイッチ用接点端子９１は、一端にコンタクト１５に離接させる接点部１０１を形成し、中間にスイッチベース１１に埋没させる段部１０２を形成し、他端にスイッチベース１１から突出させる端子部１０３を形成した。タクトスイッチ用接点端子９２は、タクトスイッチ用接点端子９１に同様の構造であり、１０４は接点部、１０５は段部、１０６は端子部である。
【００３１】
図７は本発明に係るロータリスイッチを一体化したタクト・ロータリ複合スイッチの正面断面図であり、タクト・ロータリ複合スイッチ１０は、絶縁体で形成したスイッチベース１１と、このスイッチベース１１の中央に配置したタクトスイッチ用接点端子９１，９２（９２は不図示）と、タクトスイッチ用接点端子９１，９２に離接させるコンタクト１５と、このコンタクト１５の外周に配置したロータリスイッチ用接点端子９４〜９９（９４のみ図示）と、ロータリスイッチ用接点端子９４〜９９に接触させる接触子２１と、この接触子２１を保持するとともにスイッチベース１１に回転自在に取付けた回転ノブ２２と、からなるタクトスイッチ及びロータリスイッチを複合させたタクト・ロータリ複合スイッチであって、タクトスイッチ用接点端子９１，９２の一端をコンタクト１５に離接させ、中間をスイッチベース１１に埋没させ、他端をスイッチベース１１から突出させたものと言える。なお、１０７はタクトガイド１８のフランジ部１０８を受ける回転ノブ２２のエッジ部を示す。
【００３２】
例えば、スイッチを小型化することはスイッチを搭載する機器をコンパクトな製品にすることができるので好ましいことである。
そこで、スイッチベース１１の中央にタクトスイッチ用接点端子を配置９１，９２（９２は不図示）し、タクトスイッチ用接点端子９１，９２に離接させるコンタクト１５を配置し、このコンタクト１５の外周にロータリスイッチ用接点端子９４〜９９（９４のみ図示）を配置し、このロータリスイッチ用接点端子９４〜９９に接触させる接触子２１を配置し、この接触子２１を保持する回転ノブ２２をスイッチベース１１に回転自在に取付けた。
【００３３】
一般的に、スイッチベース１１の中央にタクトスイッチ用接点端子配置９１，９２し、タクトスイッチ用接点端子９１，９２に離接させるコンタクト１５を配置し、このコンタクト１５の外周にロータリスイッチ用接点端子９４〜９９を配置したスイッチでは、ロータリスイッチ用接点端子９４〜９９にタクトスイッチ用接点端子９１，９２を干渉させないようにスイッチベース１１から突出させることは困難であるので、タクトスイッチ用接点端子９１，９２の一端をコンタクト１５に離接させ、中間をスイッチベース１１に埋没させ、他端をスイッチベース１１から突出させた。
【００３４】
これにより、タクトスイッチ用接点端子９１，９２及びロータリスイッチ用接点端子９４〜９９が互いに干渉することがないので、スイッチベース１１にタクトスイッチ用接点端子９１，９２及びロータリスイッチ用接点端子９４〜９９を密集させて配置することができる。この結果、タクト・ロータリ複合スイッチ１０の小型化を図ることができる。
【００３５】
図８は本発明に係るロータリスイッチを一体化したタクト・ロータリ複合スイッチにタクトボタン及び操作ダイヤルを付設した状態の正面断面図であり、タクトボタン２７の外部突起６６・・・を当たらぬように回避さた構造であることを示す。
すなわち、タクト・ロータリ複合スイッチ１０は、回転ノブ２２に、コンタクト１５を動作させるタクトボタン２７の干渉を回避する逃げ部４４，４５・・・（図２参照）を備えたものである。
回転ノブ２２に、コンタクト１５を動作させるタクトボタン２７の干渉を回避する逃げ部４４，４５・・・を備えることで、タクトボタン２７の外形を大きく設定することができる。
【００３６】
図９は本発明に係るロータリスイッチを一体化したタクト・ロータリ複合スイッチの側面断面図であり、タクト・ロータリ複合スイッチ１０は、回転ノブ２２の中心に開口部４２を設け、この開口部４２にタクトボタン２７（図８参照）をガイドするタクトボタンガイド１８を突出させるとともにタクトボタンガイド１８の凸部３６，３６をスイッチベース１１の８４，８４に係止したものと言える。
【００３７】
回転ノブ２２の中心に開口部４２を設け、この開口部４２にタクトボタン２７をガイドするタクトボタンガイド１８を突出させるとともにタクトボタンガイド１８をスイッチベース１１に係止することで、回転ノブ２２を回すときにも、タクトボタン２７を静止させることができる。この結果、タクト・ロータリ複合スイッチ１０を搭載する製品の商品力の向上を図ることができる。
【００３８】
タクト・ロータリ複合スイッチ１０は、絶縁体で形成したのスイッチベース１１と、このスイッチベース１１の中央に配置した接点端子と、この接点端子に離接させるコンタクトと、を備えることで二段動作をさせる二段タクトスイッチ部１２を含むタクト・ロータリ複合スイッチ（二段タクトスイッチ）において、コンタクトの外周に突起部を延出し、突起部７４，７４を支持するとともにタクトスイッチ用接点端子（接点端子）９１，９２からコンタクト１５を浮かす支持部８４，８４をスイッチベース１１に設けたものとも言える。
【００３９】
例えば、スイッチを容易に組立てることができるとともに部品を簡単な形状にすることができれば、組立性の向上を図ることができるとともに部品の加工工数の低減を図ることができるので好ましいことである。
そこで、コンタクト１５の外周に突起部７４，７４を延出し、突起部７４，７４を支持するとともにタクトスイッチ用接点端子（接点端子）９１，９２からコンタクト１５を浮かす支持部８４，８４をスイッチベース１１に設けた。
【００４０】
すなわち、コンタクト１５の外周に突起部７４，７４を延出し、突起部７４，７４を支持するとともにタクトスイッチ用接点端子（接点端子）９１，９２からコンタクト１５を浮かす支持部８４，８４をスイッチベース１１に設けることで、コンタクト１５の形状をシンプルにすることができるとともに、タクトスイッチ用接点端子（接点端子）９１，９２からコンタクトを容易に浮かすことができる。この結果、タクト・ロータリ複合スイッチ１０の組立性の向上を図ることができるとともに加工工数の低減を図ることができる。
【００４１】
図１０（ａ），（ｂ）は本発明に係るロータリスイッチを一体化したタクト・ロータリ複合スイッチの作用説明図であり、タクトスイッチ部１２の動作を示す。
（ａ）において、コンタクト１５を押圧する前のタクト・ロータリ複合スイッチ１０の状態を示す。
【００４２】
（ｂ）において、ダストカバー１７及びクリック板１６を介して矢印ａ１の如くコンタクト１５を押すことで、第２のタクトスイッチ用接点端子９２及びタクト・ロータリ共用接点端子９３にコンタクト１５の絞り部７５，７５がそれぞれ接触する。このときにクリック板１６の反転部３３が反転し、クリック音若しくはクリック感を発生させて１回目（１段目）の動作を終了したことを知らせる。
【００４３】
（ｃ）において、ダストカバー１７及びクリック板１６を介して矢印ａ２の如くコンタクト１５をさらに押すことで、コンタクト１５の中央がタクトスイッチ用接点端子９１に接触するとともにコンタクト１５自身が反転し、クリック音若しくはクリック感を発生させて２回目（２段目）の動作を終了したことを知らせる。
すなわち、コンタクト１５は、タクトスイッチ用接点端子９１，９２及びタクト・ロータリ共用接点端子９３に接触する。
【００４４】
タクト・ロータリ複合スイッチ１０は、コンタクト１５に、タクトスイッチ用接点端子（接点端子）９１，９２及びタクト・ロータリ共用接点端子（接点端子）９３に接触させる絞り部７５，７５を形成したものと言える。
コンタクト１５に、タクトスイッチ用接点端子９１，９２及びタクト・ロータリ共用接点端子９３に接触させる絞り部７５，７５を形成することで、タクトスイッチ用接点端子９１，９２及びタクト・ロータリ共用接点端子９３にコンタクト１５を接触させるときに発生するタクトスイッチ用接点端子９１，９２及びタクト・ロータリ共用接点端子９３の表面の荒れを最小限に止めることができる。
【００４５】
また、タクト・ロータリ複合スイッチ１０は、コンタクト１５に、タクトスイッチ用接点端子（接点端子）９１，９２及びタクト・ロータリ共用接点端子（接点端子）９３に接触させるときにクリック音若しくはクリック感を発生させるクリック板１６を備えたものとも言える。
コンタクト１５に、タクトスイッチ用接点端子（接点端子）９１，９２及びタクト・ロータリ共用接点端子（接点端子）９３に接触させるときにクリック音若しくはクリック感を発生させるクリック板１６を備えることで、二段タクトスイッチ部１２を含むタクト・ロータリ複合スイッチ（二段タクトスイッチ）の二段動作のうちの１回目若しくは２回目のどちらにも選択的にクリック音若しくはクリック感を発生させることができる。
【００４６】
さらに、タクト・ロータリ複合スイッチ１０は、クリック板１６に、タクトスイッチ用接点端子（接点端子）９１，９２及びタクト・ロータリ共用接点端子（接点端子）９３にコンタクト１５を１回目に接触させるときにクリック音若しくはクリック感を発生させる反転部３３を備えたものとも言える。
クリック板１６に、タクトスイッチ用接点端子（接点端子）９１，９２及びタクト・ロータリ共用接点端子（接点端子）９３にコンタクト１５を１回目に接触させるときにクリック音若しくはクリック感を発生させる反転部３３を備えることで、自然なスイッチ動作フィーリングを実現することができる。
【００４７】
図１１は本発明に係るロータリスイッチを一体化したタクト・ロータリ複合スイッチのカバー及び回転ノブを外した状態の平面図であり、タクト・ロータリ複合スイッチ１０は、絶縁体で形成したのスイッチベース１１と、このスイッチベース１１に配置したロータリスイッチ用接続端子（接点端子）９４〜９９と、ロータリスイッチ用接続端子９４〜９９に選択的に接触させる接触子２１と、この接触子２１を保持するとともにスイッチベース１１に回転自在に取付けた回転ノブ２２と、この回転ノブ２２を設定位置で停止させる板ばね２３，２３と、を備えたロータリスイッチ部１３を含むタクト・ロータリ複合スイッチ（ロータリスイッチ）において、板ばね２３を、回転ノブ２２の外周に当てる凸状部５１と、この凸状部５１の両端から延ばしたばね部５２，５３と、これらのばね部５２，５３の両端に形成した左・右脚部５４，５５とから構成するとともに、スイッチベース１１に左・右脚部５４，５５を嵌め込む左・右嵌合部８８，８９を設けたことを示す。
板ばね２３の左・右嵌合部８８，８９及びスイッチベース１１の左・右脚部５４，５５の詳細な寸法関係を次図で説明する。
【００４８】
図１２は本発明に係るロータリスイッチを一体化したタクト・ロータリ複合スイッチの板ばね及びスイッチベスの寸法関係を示す説明図であり、スイッチベース１１の左・右嵌合部８８，８９の内側同士の距離をＬ１、板ばね２３の左・右脚部５４，５５の内側同士の距離Ｌ２、左・右嵌合部８８，８９の幅寸法Ｌ３、左・右脚部５４，５５の幅をＬ４とするときに、Ｌ１＞Ｌ２、Ｌ３＞Ｌ４の関係に設定する。
すなわち、タクト・ロータリ複合スイッチ１０（図１１参照）は、左・右嵌合部８８，８９の内側同士の距離Ｌ１を左・右脚部５４，５５の内側同士の距離Ｌ２よりも大きく設定したものと言える。
【００４９】
図１３（ａ）〜（ｄ）は本発明に係るロータリスイッチを一体化したタクト・ロータリ複合スイッチの板ばねの作用説明図である。（ａ），（ｃ）は板ばね２３の側面、（ｂ），（ｄ）は板ばね２３の正面を示す。
（ａ）において、板ばね２３の凸状部５１を回転ノブ２２の凹部４８に嵌合させ、回転ノブ２２の停止させた状態を示す。
（ｂ）において、板ばね２３の左・右脚部５４，５５の内側をスイッチベース１１の左・右嵌合部８８，８９の内側に当てた状態にあり、板ばね２３がスイッチベース１１に食いついた状態であるので、回転ノブ２２のがたつきを防止することができる。
【００５０】
（ｃ）において、回転ノブ２２を矢印ｂ１の如く回転させ、回転ノブ２２の鍔部４７で板ばね２３を矢印ｂ２の如く押す。
（ｄ）において、回転ノブ２２で板ばね２３に紙面裏から紙面表の力がかかるので、板ばね２３は全長が伸びる方向の力を受ける。すなわち、左・右脚部５４，５５が左・右嵌合部８８．８９の外方に対して矢印ｂ３，ｂ３の如く移動可能であり、回転ノブ２２の回転を許容することができる。
【００５１】
例えば、部品点数を削減するとともに構造を簡単にすることができるとすれば、ロータリスイッチの組立性の向上を図ることができるので好ましいことであり、回転ノブの回転方向の「がた」を防止することができれば、品質の向上を図ることができるので好ましいことである。
【００５２】
そこで、板ばね２３を、回転ノブ２２の鍔部（外周）４７に当てる凸状部５１と、この凸状部５１の両端から延ばしたばね部５２，５３と、これらのばね部５２，５３の両端に形成した左・右脚部５４，５５とから構成するとともに、スイッチベース１１に左・右脚部５４，５５を嵌め込む左・右嵌合部８８，８９を設け、これらの左・右嵌合部８８，８９の内側同士の距離を左・右脚部５４，５５の内側同士の距離よりも大きく設定した。
【００５３】
すなわち、板ばねを、回転ノブ２２の鍔部（外周）４７に当てる凸状部５１と、この凸状部５１の両端から延ばしたばね部５２，５３と、これらのばね部５２，５３の両端に形成した左・右脚部５４，５５とから構成することで、例えば、ボールなどを板状のばね部材などに組合わせて使用する場合に比べて、部品点数を削減するとともに構造を簡単にすることができる。
【００５４】
また、スイッチベース１１に左・右脚部５４，５５を嵌め込む左・右嵌合部８８，８９を設け、これらの左・右嵌合部８８，８９の内側同士の距離を左・右脚部５４，５５の内側同士の距離よりも大きく設定することで、回転ノブ２２の回転方向の「がた」を防止することができる。
【００５５】
図１４は本発明に係るロータリスイッチを一体化したタクト・ロータリ複合スイッチの平面図であり、図１５は本発明に係るロータリスイッチを一体化したタクト・ロータリ複合スイッチの側面図である。
タクト・ロータリ複合スイッチ１０は、絶縁体で形成した略矩形のスイッチベース１１と、このスイッチベース１１に配置したロータリスイッチ用端子（接点端子）９４〜９９と、ロータリスイッチ用端子９４〜９９に選択的に接触させる接触子２１（図２参照）と、この接触子２１を保持するとともにスイッチベース１１に回転自在に取付けた回転ノブ２２と、この回転ノブ２２をスイッチベース１１に回転自在に取付けるケース２４と、を備えたロータリスイッチ部１３を含むタクト・ロータリ複合スイッチ（ロータリスイッチ）において、ケース２４に、回転ノブ２２を回転自在に支持する本体部５７と、この本体部５７から折曲げ形成する折曲げ部６２と、この折曲げ部６２の両端に形成することでスイッチベース１１に係止する図１５に示す爪６３，６３と、を備えるとともに、スイッチベース１１に、爪６３，６３を係止するために両側面に形成した係止部８３，８３と、本体部５７の四隅内方を受けることでケース２４の「がた」を吸収させる凸面部８６・・・と、を備えたものと言える。
【００５６】
例えば、スイッチベースにケースを取付けるときにスイッチベースに対するケースの「がた」を少なくすることは、スイッチベースに回転ノブを回転自在に取付けるときに、回転ノブが振れる若しくは「がた」を小さくすることができるので好ましいことである。
【００５７】
そこで、ケース２４に、回転ノブ２２を回転自在に支持する本体部５７と、この本体部５７から折曲げ形成する折曲げ部６２と、この折曲げ部６２の両端に形成することでスイッチベース１１に係止する爪６３，６３と、を備えるとともに、スイッチベース１１に、爪６３，６３を係止するために両側面に形成した係止部８３，８３と、本体部５７の四隅内方を受けることでケース２４の「がた」を吸収させる凸面部８６・・・と、を備えた。
【００５８】
従って、スイッチベース１１の係止部８３，８３にケース２４の爪６３，６３を係止するときに、スイッチベース１１の四隅内方の凸面部８６，８６から係止部８３，８３に当たるケースの本体部５７にわずかな撓みを許容することができ、スイッチベースに対するケースの「がた」を吸収させ、スイッチベースに対する回転ノブの振れ若しくは「がた」を最小にすることができる。この結果、操作感のよいタクト・ロータリ複合スイッチ（ロータリスイッチ）１０を実現できる。
【００５９】
図１６は本発明に係るロータリスイッチを一体化した別実施例のタクト・ロータリ複合スイッチの分解斜視図であり、タクト・ロータリ複合スイッチ１０（図２参照）と同一部品は同一符号を用いて詳細な説明を省略する。
図中、１１はスイッチベース、１５はコンタクト、１６はクリック板、１７はダストカバー、２１は接触子、２３，２３は板ばね、２４はケースであり、ロータリスイッチとしてのタクト・ロータリ複合スイッチ１２０は、回転ノブ１２２を、ノブ本体１４１と、このノブ本体１４１の中央に形成することでコンタクト１５を外部から押すことのできるコンタクト押圧孔１２６と、ノブ本体１４１に形成することで接触子２１を係止する４つのボス１４９・・・（２つのみ示す）と、ノブ本体１４１に形成することでケース２４から突出させる筒部１４３と、この筒部１４３に形成することでタクトボタン２７との干渉を回避する逃げ部１４４，１４５・・・と、筒部１４３に形成することで操作ダイヤル２９を嵌合させるダイヤル嵌合部１４６（一方の１４６は不図示）と、ノブ本体１４１に形成することでケース２４に当てる外周としての鍔部１４７と、この鍔部１４７に形成することで板ばね２３，２３に嵌合させる凹部１４８・・・と、構成したものである。
【００６０】
図１７は本発明に係るロータリスイッチを一体化した別実施例のタクト・ロータリ複合スイッチの正面断面図であり、タクト・ロータリ複合スイッチ１２０は、回転ノブ１２２にコンタクト１５を外部から押すことのできるコンタクト押圧孔１２６を形成したので、操作ダイヤル２９を回転させたときにタクトボタン２７は同時に回転する。しかし、操作ダイヤル２９とともにタクトボタンが回転しても実用上問題はない。
タクト・ロータリ複合スイッチ１２０は、タクト・ロータリ複合スイッチ１０のタクトボタンガイド１８を回転ノブ１２２に一体的に形成したので、タクト・ロータリ複合スイッチ１２０のコストの低減を図ることができる。
【００６１】
図１８は本発明に係るロータリスイッチを一体化したさらなる別実施例のタクト・ロータリ複合スイッチの分解斜視図であり、タクト・ロータリ複合スイッチ１０（図２参照）と同一部品は同一符号を用いて詳細な説明を省略する。
図中、１１はスイッチベース、１５はコンタクト、１７はダストカバー、２１は接触子、２２は回転ノブ、２３，２３は板ばね、２４はケースであり、ロータリスイッチとしてのタクト・ロータリ複合スイッチ１５０は、タクト・ロータリ複合スイッチ１０（図２参照）の部品構成と比較してクリック板１６（図２参照）を省略した構成にしたものである。
【００６２】
すなわち、タクト・ロータリ複合スイッチ１５０は、クリック板１６がないので、図１０にて説明したようにコンタクト１５の１回目（１段目）の動作でクリック音若しくはクリック感の発生はない。しかし、コンタクト１５の１回目（１段目）の動作でクリック音若しくはクリック感を必要としない用途に用いる場合には、スイッチ構成の簡素化を図ることができ、組立時間の低減を図ることができる。
【００６３】
尚、本発明タクト・ロータリ複合スイッチ１０は、図８に示すように、二段タクトスイッチ機能とロータリスイッチ機能を複合したスイッチであったが、これに限るものではなく、ロータリスイッチ単品であってもよい。
【産業上の利用可能性】
【００６４】
本発明ロータリスイッチは、撮影モードを決定するモード設定ダイヤルを設けるにデジタルカメラに好適である。
【図面の簡単な説明】
【００６５】
【図１】本発明に係るロータリスイッチを一体化したタクト・ロータリ複合スイッチの斜視図である。
【図２】本発明に係るロータリスイッチを一体化したタクト・ロータリ複合スイッチの分解斜視図である。
【図３】本発明に係るロータリスイッチを一体化したタクト・ロータリ複合スイッチのコンタクトの平面図である。
【図４】図４は図３の４−４線断面図である。
【図５】本発明に係るロータリスイッチを一体化したタクト・ロータリ複合スイッチのスイッチベースの平面図である。
【図６】本発明に係るロータリスイッチを一体化したタクト・ロータリ複合スイッチの接点端子群の平面図である。
【図７】本発明に係るロータリスイッチを一体化したタクト・ロータリ複合スイッチの正面断面図である。
【図８】本発明に係るロータリスイッチを一体化したタクト・ロータリ複合スイッチにタクトボタン及び操作ダイヤルを付設した状態の正面断面図である。
【図９】本発明に係るロータリスイッチを一体化したタクト・ロータリ複合スイッチの側面断面図である。
【図１０】本発明に係るロータリスイッチを一体化したタクト・ロータリ複合スイッチの作用説明図である。
【図１１】本発明に係るロータリスイッチを一体化したタクト・ロータリ複合スイッチのカバー及び回転ノブを外した状態の平面図である。
【図１２】本発明に係るタクト・ロータリ複合スイッチの板ばね及びスイッチベスの寸法関係を示す説明図である。
【図１３】本発明に係るロータリスイッチを一体化したタクト・ロータリ複合スイッチの板ばねの作用説明図である。
【図１４】本発明に係るロータリスイッチを一体化したタクト・ロータリ複合スイッチの平面図である。
【図１５】本発明に係るロータリスイッチを一体化したタクト・ロータリ複合スイッチの側面図である。
【図１６】本発明に係るロータリスイッチを一体化した別実施例のタクト・ロータリ複合スイッチの分解斜視図である。
【図１７】本発明に係るロータリスイッチを一体化した別実施例のタクト・ロータリ複合スイッチの正面断面図である。
【図１８】本発明に係るロータリスイッチを一体化したさらなる別実施例のタクト・ロータリ複合スイッチの分解斜視図である。
【図１９】特許文献１の図１の再掲図である。
【符号の説明】
【００６６】
１０…ロータリスイッチ（タクト・ロータリ複合スイッチ）、１１…スイッチベース、２１…接触子、２２…回転ノブ、２４…ケース、５７…本体部、６２…折曲げ部、６３…爪、８３…係止部、８６…凸面部、９４〜９９…接点端子（ロータリスイッチ用接点端子）。
【図１】
2005100719.tif 000003
【図２】
2005100719.tif 000004
【図３】
2005100719.tif 000005
【図４】
2005100719.tif 000006
【図５】
2005100719.tif 000007
【図６】
2005100719.tif 000008
【図７】
2005100719.tif 000009
【図８】
2005100719.tif 000010
【図９】
2005100719.tif 000011
【図１０】
2005100719.tif 000012
【図１１】
2005100719.tif 000013
【図１２】
2005100719.tif 000014
【図１３】
2005100719.tif 000015
【図１４】
2005100719.tif 000016
【図１５】
2005100719.tif 000017
【図１６】
2005100719.tif 000018
【図１７】
2005100719.tif 000019
【図１８】
2005100719.tif 000020
【図１９】
2005100719.tif 000021